(57)【要約】【課題】装着時であっても性器の出し入れが容易に出来、かつ、用を足した後も紙おむつカバー或いは吸収性物品としての機能を維持する紙おむつカバー及び吸収性物品を提供する。【解決手段】内面シート２と、外面シート４と、これらの間に設けられる中間シート３とを備え、着用時に着用者の腹側に位置する腹側部６と、背側に位置する背側部７と、その間の股下部８とに区分される紙おむつ本体１ａと、紙おむつ本体１ａの股下部８に貼着される吸収体５からなる紙おむつ１において、腹側部６の内面及び外面シート４に、装着時に男性器を取り出し可能な開口部１１を形成するためのミシン目や領域が設けられ中間シート３をずらすことにより、内面シート２及び外面シート４の開口部１１が連通して腹側部６に貫通口６ａが形成可能に構成され、中間シート３により開口部１１を覆った際、中間シート３を内面或いは外面シート４に止着・剥離自在な止着部材１２ａを設けた。【選択図】図３
2005080996.tif 000002
【特許請求の範囲】
【請求項１】
人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、
前記腹側部の前記内面シートと前記外面シートとに、装着時に男性器を取り出し可能な大きさの開口部、或いは当該開口部を形成するためのミシン目乃至は領域が設けられ、
前記中間シートをずらすことにより、前記内面シート及び前記外面シートの前記開口部が連通して前記腹側部に貫通口が形成可能に構成され、
前記中間シートにより前記内面シート及び前記外面シートの前記開口部を覆った際、当該中間シートを前記内面シート或いは前記外面シートに止着・剥離自在な止着部材が設けられていることを特徴とする紙おむつカバー。
【請求項２】
人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、
前記腹側部の前記中間シートと前記外面シートとに、装着時に男性器を取り出し可能な大きさの開口部、或いは当該開口部を形成するためのミシン目乃至は領域が設けられ、
前記内面シートをずらすことにより、前記中間シート及び前記外面シートの前記開口部が連通して前記腹側部に貫通口が形成可能に構成され、
前記内面シートにより前記中間シート及び前記外面シートの前記開口部を覆った際、当該内面シートを前記中間シートに止着・剥離自在な止着部材が設けられていることを特徴とする紙おむつカバー。
【請求項３】
人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、
前記腹側部の前記外面シートに、装着時に男性器を取り出し可能な大きさの開口部、或いは当該開口部を形成するためのミシン目乃至は領域が設けられ、
前記内面シート及び前記中間シートをずらすことにより、前記外面シートの前記開口部が連通して前記腹側部に貫通口が形成可能に構成され、
前記内面シート及び前記中間シートにより前記外面シートの前記開口部を覆った際、当該中間シートを前記内面シート若しくは前記外面シートに止着・剥離自在な止着部材が設けられていることを特徴とする紙おむつカバー。
【請求項４】
人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分され、前記股下部に吸収体を備える吸収性物品において、
前記腹側部の前記内面シートと前記外面シートとに、装着時に男性器を取り出し可能な大きさの開口部、或いは当該開口部を形成するためのミシン目乃至は領域が設けられ、
前記中間シートをずらすことにより、前記内面シート及び前記外面シートの前記開口部が連通して前記腹側部に貫通口が形成可能に構成され、
前記中間シートにより前記内面シート及び前記外面シートの前記開口部を覆った際、当該中間シートを前記内面シート或いは外面シートに止着・剥離自在な止着部材が設けられていることを特徴とする吸収性物品。
【請求項５】
人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分され、前記股下部に吸収体を備える吸収性物品において、
前記腹側部の前記中間シートと前記外面シートとに、装着時に男性器を取り出し可能な大きさの開口部、或いは当該開口部を形成するためのミシン目乃至は領域が設けられ、
前記内面シートをずらすことにより、前記中間シート及び前記外面シートの前記開口部が連通して前記腹側部に貫通口が形成可能に構成され、
前記内面シートにより前記中間シート及び前記外面シートの前記開口部を覆った際、当該内面シートを前記中間シートに止着・剥離自在な止着部材が設けられていることを特徴とする吸収性物品。
【請求項６】
人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分され、前記股下部に設けられる吸収体と、を備える吸収性物品において、
前記腹側部の前記外面シートに、装着時に男性器を取り出し可能な大きさの開口部、或いは当該開口部を形成するためのミシン目乃至は領域が設けられ、
前記内面シート及び前記中間シートをずらすことにより、前記外面シートの前記開口部が連通して前記腹側部に貫通口が形成可能に構成され、
前記内面シート及び前記中間シートにより前記外面シートの前記開口部を覆った際、当該中間シートを前記内面シート若しくは前記外面シートに止着・剥離自在な止着部材が設けられていることを特徴とする吸収性物品。
【発明の詳細な説明】
【技術分野】
【０００１】
本発明は、紙おむつカバー及び吸収性物品に関する。
【背景技術】
【０００２】
従来、吸収性物品であるパンツタイプの使い捨て紙おむつ（以下、「紙おむつ」と言う。）においては、液透過性のトップシートと液不透過性のバックシートと、両シートの間に介装される吸収体とを備えているタイプが一般的に知られている（例えば特許文献１）。また、取り替え可能な吸収パッドを装着させることで紙おむつを構成する紙おむつカバーも同様に知られている。これらのタイプの紙おむつや紙おむつカバーは、老人や子供、女性や男性など様々な年代の多くの人々に使用されており、その目的としては、自力での排尿が困難な場合の介護用衛生用品としての役割から軽度の失禁症の補助具としての役割まで多岐に渡る。
【特許文献１】特開２００１−８７３１４
【発明の開示】
【発明が解決しようとする課題】
【０００３】
しかし、上記タイプの紙おむつや紙おむつカバーは、漏れ防止の観点から胴周り保持部を完全にシートで覆ってしまっているため、また、紙おむつのタイプによっては胴周り保持部にまで吸収体が介装されているため、例えば男性用の下着のように性器を出し入れする開口部が設けられていない。従って、男性がこのタイプの紙おむつや紙おむつカバーを着用した際に排尿をしようとすると、紙おむつや紙おむつカバーを下ろさない限りは性器を取り出すことが出来ない。その為、排尿時にいちいち紙おむつや紙おむつカバーを下ろす必要が発生し、常に個室のトイレに入らなければいけなくなり、着用者に対して不便さを感じさせるという問題があった。
【０００４】
また、例えば、排尿障害初期の患者や失禁患者など、生活の中でのリハビリを通して症状を改善していく治療を必要とする患者が、前述のタイプの紙おむつや紙おむつカバーを使用すると、やはりそれらを下ろさない限りは性器を出すことが出来ないため、排尿の際の不便さに加えて、着用に対する抵抗感をも感じてしまう。また、仮に一旦紙おむつや紙おむつカバーの一部を開裂して開口部を設け、通常の下着を着用している時と同じ様に排尿出来たとしても、その後紙おむつや紙おむつカバーとしての利用が不可能になってしまうため、大変不経済であった。以上の様な状況の中、リハビリ用衛生用品としての機能を有した紙おむつや紙おむつカバーのニーズが高まってきた。
【０００５】
そこで、本発明の課題は、装着時であっても性器の出し入れが容易に出来、かつ、用を足した後も紙おむつカバー或いは吸収性物品としての機能を維持できる紙おむつカバー及び吸収性物品を提供することである。
【課題を解決するための手段】
【０００６】
前述した課題を解決するため、請求項１に係る発明では、人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、前記腹側部の前記内面シートと前記外面シートとに、装着時に男性器を取り出し可能な大きさの開口部、或いは当該開口部を形成するためのミシン目乃至は領域が設けられ、前記中間シートをずらすことにより、前記内面シート及び前記外面シートの前記開口部が連通して前記腹側部に貫通口が形成可能に構成され、前記中間シートにより前記内面シート及び前記外面シートの前記開口部を覆った際、当該中間シートを前記内面シート或いは前記外面シートに止着・剥離自在な止着部材が設けられていることを特徴とする。
これにより、中間シートをずらすことによって、内面シート、中間シート及び外面シートを連通する貫通口が形成され、且つ、止着・剥離自在な止着部材によって、開口部を必要に応じて開閉することが可能になる。
【０００７】
請求項２に係る発明では、人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、前記腹側部の前記中間シートと前記外面シートとに、装着時に男性器を取り出し可能な大きさの開口部、或いは当該開口部を形成するためのミシン目乃至は領域が設けられ、前記内面シートをずらすことにより、前記中間シート及び前記外面シートの前記開口部が連通して前記腹側部に貫通口が形成可能に構成され、前記内面シートにより前記中間シート及び前記外面シートの前記開口部を覆った際、当該内面シートを前記中間シートに止着・剥離自在な止着部材が設けられていることを特徴とする。
これにより、内面シートをずらすことによって、内面シート、中間シート及び外面シートを連通する貫通口が構成され、且つ、止着・剥離自在な止着部材によって、開口部を必要に応じて開閉することが可能になる。
【０００８】
請求項３に係る発明では、人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、前記腹側部の前記外面シートに、装着時に男性器を取り出し可能な大きさの開口部、或いは当該開口部を形成するためのミシン目乃至は領域が設けられ、前記内面シート及び前記中間シートをずらすことにより、前記外面シートの前記開口部が連通して前記腹側部に貫通口が形成可能に構成され、前記内面シート及び前記中間シートにより前記外面シートの前記開口部を覆った際、当該中間シートを前記内面シート若しくは前記外面シートに止着・剥離自在な止着する止着部材が設けられていることを特徴とする。
これにより、前記内面シート及び前記中間シートをずらすことによって、内面シート、中間シート及び外面シートを連通する貫通口が構成され、且つ、止着・剥離自在な止着部材によって、開口部を必要に応じて開閉することが可能になる。
【０００９】
請求項４に係る発明では、人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分され、前記股下部に設けられる吸収体と、を備える吸収性物品において、前記腹側部の前記内面シートと前記外面シートとに、装着時に男性器を取り出し可能な大きさの開口部、或いは当該開口部を形成するためのミシン目や領域が設けられ、前記中間シートをずらすことにより、前記内面シート及び前記外面シートの前記開口部が連通して前記腹側部に貫通口が形成可能に構成され、前記中間シートにより前記内面シート及び前記外面シートの前記開口部を覆った際、当該中間シートを前記内面シート或いは前記外面シートに止着・剥離自在な止着部材が設けられていることを特徴とする。
これにより、中間シートをずらすことによって、内面シート、中間シート及び外面シートを連通する貫通口が形成され、且つ、止着・剥離自在な止着部材によって、開口部を必要に応じて開閉することが可能になる。
【００１０】
請求項５に係る発明では、人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分され、前記股下部に設けられる吸収体と、を備える吸収性物品において、前記腹側部の前記中間シートと前記外面シートとに、装着時に男性器を取り出し可能な大きさの開口部或いは当該開口部を形成するためのミシン目乃至は領域が設けられ、前記内面シートをずらすことにより、前記中間シート及び前記外面シートの前記開口部が連通して前記腹側部に貫通口が形成可能に構成され、前記内面シートにより前記中間シート及び前記外面シートの前記開口部を覆った際、当該内面シートを前記中間シートに止着・剥離自在な止着部材が設けられていることを特徴とする。
これにより、内面シートをずらすことによって、内面シート、中間シート及び外面シートを連通する貫通口が形成され、且つ、止着・剥離自在な止着部材によって、開口部を必要に応じて開閉することが可能になる。
【００１１】
請求項６に係る発明では、人体に接する面側に設けられた内面シートと、人体と接する面と反対側に設けられた外面シートと、前記内面シートと前記外面シートとの間に設けられる中間シートとを備え、着用時に着用者の腹側に位置する腹側部と、背側に位置する背側部と、前記腹側部と前記背側部との間の股下部とに区分され、前記股下部に設けられる吸収体と、を備える吸収性物品において、前記腹側部の前記外面シートに、装着時に男性器を取り出し可能な大きさの開口部、或いは当該開口部を形成するためのミシン目乃至は領域が設けられ、前記内面シート及び前記中間シートをずらすことにより、前記外面シートの前記開口部が連通して前記腹側部に貫通口が形成可能に構成され、前記内面シート及び前記中間シートにより前記外面シートの前記開口部を覆った際、当該中間シートを前記内面シート若しくは前記外面シートに止着・剥離自在な止着する止着部材が設けられていることを特徴とする。
これにより、内面シート及び中間シートをずらすことによって、内面シート、中間シート及び外面シートを連通する貫通口が構成され、且つ止着・剥離自在な止着部材によって開口部を必要に応じて開閉することが可能になる。
【発明の効果】
【００１２】
請求項１に記載の発明によれば、内面シート及び外面シートの腹側部に開口部が設けられることによって、中間シートをずらすだけで、内面シート、中間シート及び外面シートを連通する貫通口が形成されることとなり、当該紙おむつカバーを男性が着用していても、紙おむつカバーを下ろすことなく性器の出し入れを容易に行うことが出来る。
さらに、中間シートを内面シート或いは外面シートに止着・剥離自在な止着部材が設けられていることによって、開口部を必要に応じて開閉することが可能になり、排尿後も紙おむつカバーとしての機能を維持することが出来る。
【００１３】
請求項２に記載の発明によれば、中間シート及び外面シートの腹側部に開口部が設けられることによって、内面シートをずらすだけで、内面シート、中間シート及び外面シートを連通する貫通口が形成されることとなり、当該紙おむつカバーを男性が着用していても、紙おむつカバーを下ろすことなく性器の出し入れを容易に行うことが出来る。
さらに、内面シートを中間シートに止着・剥離自在な止着部材が設けられていることによって、開口部を必要に応じて開閉することが可能になり、排尿後も紙おむつカバーとしての機能を維持することが出来る。
【００１４】
請求項３に記載の発明によれば、外面シートの腹側部に開口部が設けられることによって、内面シート及び中間シートをずらすだけで、内面シート、中間シート及び外面シートを連通する貫通口が形成されることとなり、当該紙おむつカバーを男性が着用していても、紙おむつカバーを下ろすことなく性器の出し入れを容易に行うことが出来る。
さらに、中間シートを内面シート或いは外面シートに止着・剥離自在な止着部材が設けられていることによって、開口部を必要に応じて開閉することが可能になり、排尿後も紙おむつカバーとしての機能を維持することが出来る。
【００１５】
請求項４に記載の発明によれば、内面シート及び外面シートの腹側部に開口部が設けられることによって、中間シートをずらすだけで、内面シート、中間シート及び外面シートを連通する貫通口が形成されることとなり、当該吸収性物品を男性が着用していても、吸収性物品を下ろすことなく性器の出し入れを容易に行うことが出来る。
さらに、中間シートを内面シート或いは外面シートに止着・剥離自在な止着部材が設けられていることによって、開口部を必要に応じて開閉することが可能になり、排尿後も吸収性物品としての機能を維持することが出来る。
【００１６】
請求項５に記載の発明によれば、中間シート及び外面シートの腹側部に開口部が設けられることによって、内面シートをずらすだけで、内面シート、中間シート及び外面シートを連通する貫通口が形成されることとなり、当該吸収性物品を男性が着用していても、吸収性物品を下ろすことなく性器の出し入れを容易に行うことが出来る。
さらに、内面シートを中間シートに止着・剥離自在な止着部材が設けられていることによって、開口部を必要に応じて開閉することが可能になり、排尿後も吸収性物品としての機能を維持することが出来る。
【００１７】
請求項６に記載の発明によれば、外面シートの腹側部に開口部が設けられることによって、内面シート及び中間シートをずらすだけで、内面シート、中間シート及び外面シートを連通する貫通口が形成されることとなり、当該吸収性物品を男性が着用していても、吸収性物品を下ろすことなく性器の出し入れを容易に行うことが出来る。
さらに、中間シートを内面シート或いは外面シートに止着・剥離自在な止着部材が設けられていることによって、開口部を必要に応じて開閉することが可能になり、排尿後も吸収性物品としての機能を維持することが出来る。
【発明を実施するための最良の形態】
【００１８】
以下、本発明の実施の形態を、図１〜図５を用いて説明する。
図１は、本発明を適用した吸収性物品の展開図であり、図２は、図１を組み立てた斜視図である。また、図３は図１のＡ−Ａ´線における断面図で、図４及び図５は図３の変形例である。本実施例では、吸収性物品として、パンツタイプの使い捨て紙おむつを例に説明する。
【００１９】
図１〜図５に示す吸収性物品としてのパンツタイプ使い捨て紙おむつ（以下、「紙おむつ」という）１は、内面シート２と、外面シート４、及び両シートの間に設けられた中間シート３と、を備え、着用時に着用者の腹側に位置する腹側部６と、背側に位置する背側部７と、腹側部６と背側部７との間の股下部８とに区分される紙おむつ本体１ａ（紙おむつカバー）と、紙おむつ本体１ａの股下部８の中間シート３の上面に貼着される吸収体５と、から構成される。そして、腹側部６と背側部７の幅方向端部同士を接着することにより、股下部８を挟んで二箇所の脚周り開口部９と、腹側部６と背側部７によって一箇所の胴周り開口部１０を形成する。
【００２０】
内面シート２は、胴周り端部から、吸収体５の長手方向端部の一部のみ中間シート３の上面を覆うように設けられている。従って、液透過性であることを限定する必要はなく、液不透過性でも構わない。
液不透過性のシートは、例えば、ポリエチレン等の少なくとも遮水性を有するシート材であり、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
一方、外面シート４と内面シート２の間に吸収体５が介装されるようなタイプの紙おむつにおいては、内面シート２に体液を素早く吸収させて、さらにその直下の吸収体で充分に吸収させ、保持させることとなるため、液透過性である必要がある。液透過性のシートとしては、例えば、有孔または無孔の不織布や、多孔性プラスチックシートなどにより形成されるものが挙げられる。不織布は、繊維を織ったり編んだりすることなく、「繊維どうしを化学的方法、機械的方法または、それらの組み合わせにより、結合や絡み合せを行った構造物」であり、不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、乾式法、湿式法、スパンレース法、スパンボンド法、サーマルボンド法、メルトブロー法、ニードルパンチ法、或いはこれらを組み合わせた方法等によって不織布を製造することができる。
内面シート２に多数の透孔を形成した場合には、経血やおりもの等の体液がより速やかに吸収されるようになり、ドライタッチ性に優れたものとなる。
【００２１】
本実施の形態においては、内面シート２は不透液性のシートを用い、胴周りからの体液の漏れを防止するために胴周り全体に配されている。胴周りからの体液の漏れを防止するためのシートであるため、万が一吸収体から体液が流れ出でも、体液を受けて保持出来る様に、紙おむつ１の胴周りの縁に沿って、紙おむつ１の内側方向に垂れ幕状に設けられ、且つ、股下部８に配された吸収体５が体液を吸収することを妨げないような範囲で設けられている。
【００２２】
さらに、紙おむつ１を装着者の胴周りに密着させ、ずり落ちを防ぐために、伸縮可能な弾性部材が内面シート２の胴周り開口部１０の縁に沿って施されている。本実施例では８本のゴムを密な一定間隔で配しているが、ゴムの本数は限定されない。またその幅も適宜変更可能だが、特に胴周り開口部１０の縁部分に配された弾性部材が主となって紙おむつ１を装着者の胴周りに保持させるため、伸縮力の強い弾性部材を使用することが多いが、装着者が負担に感じない程度の伸縮力の弾性部材を使用することが好ましい。
【００２３】
外面シート４は、液不透過性であって、ポリエチレン等の少なくとも遮水性を有するシート材により形成されている。また、ムレ防止の観点から透湿性を有するシート材であることが好ましく、この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００２４】
中間シート３は、本実施の形態では液不透過性のシートを使用している。液透過性のシートでも構わないが、液不透過性のシートを使用するのが好ましい。中間シート３の腹側部６及び背側部７においては、紙おむつ１装着時に、装着者の胴周りに紙おむつ１を密着させることが出来るように、前述した中間シート３の縁に配されたゴムとは別に、胴周りの幅方向に伸縮可能な弾性部材によってシャーリングが施されている。例えば、本実施の形態では収縮可能な部材として、七本のゴムを一定間隔で配し、紙おむつ１がずり落ちるのを防いでいる。ゴムは六本以下でも良いし、またそれ以上でも構わない。
【００２５】
内面シート２、外面シート４及び中間シート３は、図３に示すように、人体に接する面に配された内面シート２の胴周り開口部１０にあたる縁に施された伸縮可能な弾性部材（図示略）を覆うようにして、人体接触面と反対の面に配された外面シート４が胴周り開口部１０で折り返し配されており、折り返し部分で外面シート４と内面シート２とが接着されている。つまり、外面シート４と内面シート２は、胴周り開口部１０縁で接着されている。一方、外面シート４と内面シート２の間に配された中間シート３の胴周り開口部１０にあたる縁は外面シート４及び内面シート２に接着されていない。
【００２６】
腹側部６は、紙おむつ１装着時に装着者の腹側にあたる部分である。腹側部６に本願発明の特徴である開口部１１と止着部１２が設けられている。
開口部１１と止着部１２については後述する。
【００２７】
背側部７は、紙おむつ１装着時に装着者の背側にあたる部分のことで、腹側部６同様、内面シート２、中間シート３、外面シート４の三層からなる。
【００２８】
股下部８は、紙おむつ１装着時に装着者の股下にあたる部分である。この部分に吸収体５が配される。吸収体５を中間シート３の上面に後付けするタイプや、製造時に外面シート４と中間シート３の間に介装させるタイプがあるが、後者の場合、中間シート３は体液を受ける機能を備える必要があるため、液透過性のシートであることを要する。
【００２９】
吸収体５は、体液を吸収する働きを成すもので、例えば高吸収性ポリマーのような高吸水性樹脂や吸水性繊維、パルプなどから成り、これらの素材でできた単層構造であってもよいし、複数層に分かれた構造でも構わない。
【００３０】
股下部８を挟んで両側に形成されるのが脚周り開口部９である。脚周り開口部９は、紙おむつ１を人体に装着した際に両の脚周りを囲む形で形成され、脚周り開口部９の縁には人体と紙おむつ１が密着してなるようゴム等の伸縮可能な手段が設けられていても良い。
【００３１】
次に本願発明の特徴である開口部１１と止着部１２について説明する。
紙おむつ１では、内面シート２及び外面シート４に、装着時に開裂させて開口部１１を形成することが出来るミシン目を、幅方向、つまり展開時における長手方向と垂直な方向に、その中点を紙おむつ１腹側部６の中心線に合わせて、例えば１０ｃｍ程度の長さを以って設けて、中間シート３を上下左右等の方向にずらして寄せることによって、内面シート２、外面シート４及び中間シート３の連通を可能にした。しかし、全てのシートを連通させることの出来る構造であればミシン目である必要はなく、例えば孔でも構わないし、スリットでも構わない。さらに例えばミシン目であっても、縦、横、斜め又は十字など、開裂し易く、使用し易い方向、形で設けて構わない。さらに、腹側部６の開口部１１を設けるのに適当な領域（例えば腹側部６の上下左右の端から内側に２０％を除いた領域）を、手で簡単に開裂出来るような素材で構成することによって、使用者が希望する任意の箇所に容易に開口部を設けられるような構造としても構わない。基本的に、紙や繊維には裂け易い方向（繊維が流れている方向で、順目（もしくは縦目）と呼ばれる方向）があり、この順目に沿って裂くことで、裂け目を曲げることなく真っ直ぐに入れることが可能になる。繊維や紙のこの性質を利用することで、使用者の好む任意の場所に容易に開口部を設けることが出来る構造とすることが可能になる。また、鋏などの道具を使用することによって開口部を設けることとしても構わないし、その他適宜開口部１１の形成が可能な構造を採用しても良い。
【００３２】
開口部１１は、本実施例では例えば１０ｃｍ程度の長さを以って設けたが、開口部１１となる孔、スリット又はミシン目等の大きさ、幅については、必要充分な大きさを以って設ければ良く、使用者の要望などによって使い勝手の良いものに改良していくと良い。また、例えば、高齢者などの弱視力の使用者に開口部１１を分かり易く示すために、開口部１１の周辺に色や柄を加えても良いし、感触で分かるような凸凹、波型加工等を施しても構わない。
【００３３】
開口部１１を設けるシートについて、本実施の形態では内面シート２と外面シート４としたが、この組み合わせに限られることはなく、外面シート４を含む少なくとも１層に設ければ内面シート２、中間シート３及び外面シート４を連通する貫通口６ａを設けることが可能である。
【００３４】
止着部１２は、例えば本実施の形態のように外面シート４及び内面シート２に開口部１１を設けた場合、外面シート４の内側面と中間シート３の外側面、もしくは中間シート３の内側面と内面シート２の外側面に、対となる止着部材を取付ける。本実施例では、外面シート４の内側面と中間シート３の外側面に止着部材１２ａを取付けた（図３（ａ））。
【００３５】
止着部１２に設けられる止着部材１２ａは、繰返し止着・剥離可能な部材である必要があり、例えば、メカニカルテープ、粘着テープなどが考えられるが、本実施の形態ではメカニカルテープを採用した。
メカニカルテープは、例えば、不織布からなる止着部材であり、ループとフックを引っ掛けることで止着状態を形成する。
本願発明の紙おむつ１をリハビリ用衛生用品として利用する利用者は比較的活発に活動を行うことも考えられるため、止着力の強いメカニカルテープを使用することが望ましいが、逆に非力な使用者による使用や、メカニカルテープを取付けたシートの引張りに対する耐性などを加味し、使用に適したメカニカルテープを選ぶのが好ましい。
【００３６】
また、メカニカルテープを使用する場合、その大きさや個数は任意だが、本実施の形態では、例えば、ミシン目上側の左右中央の計３箇所に設けた。
なお、止着部材１２ａは開口部１１の周りを取り囲むように配しても良いが、開口部１１を塞ぐことの出来る位置に、止着出来る程度の大きさ、個数が配されていれば良い。
【００３７】
以上説明した本実施の形態にかかる紙おむつ１及び紙おむつカバー１ａによれば、内面シート２及び外面シート４の腹側部６に開口部１１が設けられることによって、中間シート３をずらすだけで、内面シート２、中間シート３及び外面シート４を連通する貫通口６ａが形成されることとなり、当該紙おむつ１を男性が着用していても、紙おむつ１を下ろすことなく性器の出し入れを容易に行うことが出来る。
さらに、中間シート３を内面シート２或いは外面シート４に止着・剥離自在な止着部材１２ａが設けられていることによって、開口部１１を必要に応じて開閉することが可能になり、排尿後も吸収性物品としての機能を維持することが出来る。
【００３８】
次に、本実施の形態の変形例について説明する。
なお、変形例を説明するに当たり、上記実施の形態と同様の構成については、同一の符号を付し、説明は省略する。
（変形例１）
図４（ａ）に示すように、紙おむつ１００には、外面シート４と中間シート３に開口部１１が設けられている。この場合は、内面シート２をずらして寄せることによって外面シート４と中間シート３を連通する貫通口６ａを形成させることが出来る（図４（ｂ））。
この場合、止着部材１２ａは中間シート３の内側面と内面シート２の外側面に設けることが望ましい（図４（ａ））。
この変形例１にかかる紙おむつ１００においても、紙おむつ１と同様の効果を有する。
【００３９】
（変形例２）
また、図５（ａ）に示すように、紙おむつ２００には、外面シート４のみに開口部１１が設けられている。この場合、開口部近傍の中間シート３は、外面シート４及び内面シート２とは接着されていない。従って、中間シート３及び内面シート２を上下左右方向にずらして寄せることによって、内面シート２、外面シート４及び中間シート３を連通させ、貫通口６ａを形成することが可能になる（図５（ｂ））。
この場合、止着部材１２ａは、外面シート４の内側面と中間シート３の外側面に設けるか、もしくは中間シート３の内側面と内面シート２の外側面に設ける（図５（ａ））ことが望ましい。
この変形例２にかかる紙おむつ２００においても、紙おむつ１、１００と同様の効果を有する。
【図面の簡単な説明】
【００４０】
【図１】本発明を適用した吸収性物品の展開図である。
【図２】図１の吸収性物品の組立後の斜視図である。
【図３】図１のA−A´線における断面図である。
【図４】本発明を適用した吸収性物品の変形例１の図３に相当する断面図である。
【図５】本発明を適用した吸収性物品の変形例２の図３に相当する断面図である。
【符号の説明】
【００４１】
１      紙おむつ（吸収性物品）
１００  紙おむつ（吸収性物品）
２００  紙おむつ（吸収性物品）
１ａ    紙おむつ本体（紙おむつカバー）
２      内面シート
３      中間シート
４      外面シート
６      腹側部
６ａ    貫通口
１１    開口部
１２    止着部
１２ａ  止着部材
【図１】
2005080996.tif 000003
【図２】
2005080996.tif 000004
【図３】
2005080996.tif 000005
【図４】
2005080996.tif 000006
【図５】
2005080996.tif 000007